(57)【要約】【課題】原稿にダメージを生じさせることなく原稿束を原稿給送位置に配置可能な原稿給送装置及びこれを備える画像読取装置並びにこの画像読取装置を備える画像形成装置を提供すること。【解決手段】原稿を積載する原稿トレイ９２と、原稿トレイ９２に積載された原稿を給送する原稿給送ローラ９３と、原稿給送ローラ９３の上方に設けられ、原稿トレイ９２とで、原稿トレイ９２に積載された原稿を原稿給送ローラ９３が給送可能な原稿給送位置に移動させる際の入口部９０ｂを構成する上部カバー９０と、を備え、上部カバー９０は、原稿トレイ９２に積載された原稿束を入口部９０ｂから原稿給送位置に移動させる際に、原稿給送ローラ９３が給送可能な原稿の積載量を超えていた場合に、過積載分の原稿を上部カバー９０の上方に退避させる傾斜面９０ａを有する。【選択図】図２
2014136613.tif 000002
【特許請求の範囲】
【請求項１】
原稿を積載する原稿トレイと、
前記原稿トレイに積載された原稿を給送する原稿給送ローラと、
前記原稿給送ローラの上方に設けられ、前記原稿トレイとで、前記原稿トレイに積載された原稿を前記原稿給送ローラが給送可能な原稿給送位置に移動させる際の入口部を構成するカバー部材と、を備え、
前記カバー部材は、前記原稿トレイに積載された原稿束を前記入口部から前記原稿給送位置に移動させる際に、前記原稿給送ローラが給送可能な原稿の積載量を超えていた場合に、過積載分の原稿を前記カバー部材の上方に退避させる退避手段を有する、
ことを特徴とする原稿給送装置。
【請求項２】
前記退避手段は、原稿給送方向上流端の前記原稿トレイからの高さを前記原稿給送位置で前記原稿給送ローラが給送可能な原稿束の高さに形成し、かつ原稿給送方向上流端から原稿給送方向下流に向かって上り傾斜した傾斜面からなる、
ことを特徴とする請求項１に記載の原稿給送装置。
【請求項３】
前記原稿トレイに積載された原稿の原稿給送方向と直交する原稿の幅方向位置を規制する幅方向規制板を備え、
前記幅方向規制板は、前記カバー部材の前記傾斜面と連続して上り傾斜するように形成された高さ規制部を有する、
ことを特徴とする請求項２に記載の原稿給送装置。
【請求項４】
請求項１から３のいずれか１項に記載の原稿給送装置と、
前記原稿給送装置により所定の画像読取位置に給送される原稿の画像を読み取り可能な画像読取部と、を備えた、
ことを特徴とする画像読取装置。
【請求項５】
請求項４に記載の画像読取装置と、
前記画像読取装置により読み取られた画像をシートに形成可能な画像形成部と、を備えた、
ことを特徴とする画像形成装置。
【発明の詳細な説明】
【技術分野】
【０００１】
本発明は、原稿を給送する原稿給送装置及び原稿給送装置を備えた画像読取装置並びに画像読取装置を備えた画像形成装置に関する。
【背景技術】
【０００２】
従来、原稿給送装置には、原稿トレイに積載可能な原稿の枚数に上限が設定されている。これは、原稿給送ローラが所定の画像読取位置に適切に原稿を給送可能な原稿の先端位置（原稿給送位置）が、制限されるためである。
【０００３】
そこで、従来より、原稿トレイへの原稿の過積載を防止するための原稿給送装置が提案されている（特許文献１参照）。特許文献１に記載の原稿給送装置は、原稿の自重で原稿トレイが下降するように構成し、規定量以上原稿トレイが下降すると、原稿の過積載と判断し、原稿の読み取りを中止する。
【先行技術文献】
【特許文献】
【０００４】
【特許文献１】特開２０１０−２７５０５１号公報
【発明の概要】
【発明が解決しようとする課題】
【０００５】
しかしながら、特許文献１に記載の原稿給送装置は、ユーザによる規定枚数以上の原稿束の積載を規制しているわけではない。そのため、規定枚数以上の原稿束が原稿トレイに積載されると、原稿トレイ上での原稿の先端位置に原稿束の先端を合わせる際に、原稿束の先端が上部カバーや幅方向規制板の高さ規制部等にぶつかって、ダメージを受けるおそれがある。例えば、図８（ａ）に示すように、規定枚数以上の原稿束Ｇ１を原稿トレイ１９２に積載すると、図８（ｂ）に示すように、規定枚数を超えた分の原稿束Ｇ２が幅方向規制板１９２ａの高さ規制部１９２ｂの上部や上部カバー１９０に接触してダメージを生じさせる。
【０００６】
そこで、本発明は、原稿にダメージを生じさせることなく原稿束を原稿給送位置に配置可能な原稿給送装置及びこれを備える画像読取装置並びにこの画像読取装置を備える画像形成装置を提供することを目的とする。
【課題を解決するための手段】
【０００７】
本発明は、原稿給送装置において、原稿を積載する原稿トレイと、前記原稿トレイに積載された原稿を給送する原稿給送ローラと、前記原稿給送ローラの上方に設けられ、前記原稿トレイとで、前記原稿トレイに積載された原稿を前記原稿給送ローラが給送可能な原稿給送位置に移動させる際の入口部を構成するカバー部材と、を備え、前記カバー部材は、前記原稿トレイに積載された原稿束を前記入口部から前記原稿給送位置に移動させる際に、前記原稿給送ローラが給送可能な原稿の積載量を超えていた場合に、過積載分の原稿を前記カバー部材の上方に退避させる退避手段を有することを特徴とする。
【発明の効果】
【０００８】
本発明によれば、過積載分の原稿束をカバー部材の上方に退避させる退避手段をカバー部材に設けることで、原稿にダメージを生じさせることなく原稿束を原稿給送位置に配置することができる。
【図面の簡単な説明】
【０００９】
【図１】本発明の第１実施形態に係るプリンタの全体構造を模式的に示す断面図である。
【図２】第１実施形態に係る画像読取装置の全体構造を模式的に示す断面図である。
【図３】第１実施形態に係る上部カバーの一部及びサイド規制板を示す斜視図である。
【図４】第１実施形態に係る原稿トレイに原稿束を積載する状態を示す図である。
【図５】第２実施形態に係る画像読取装置の全体構造を模式的に示す断面図である。
【図６】第２実施形態に係る上部カバーの一部及び幅方向規制板を示す斜視図である。
【図７】第２実施形態に係る原稿トレイに原稿束を積載する状態を示す図である。
【図８】従来技術に係る原稿給送装置の原稿トレイに原稿束を積載する状態を示す図である。
【発明を実施するための形態】
【００１０】
以下、本発明の実施形態に係る画像形成装置について、図面を参照しながら説明する。本実施形態に係る画像形成装置は、複写機、プリンタ、ファクシミリ及びこれら複合機器等、画像読取部に原稿を自動給送可能な原稿給送装置を有する画像読取装置を備えた画像形成装置である。以下の実施形態においては、画像形成装置として、電子写真方式のレーザビームプリンタ（以下、「プリンタ」という）１０を用いて説明する。
【００１１】
＜第１実施形態＞
本発明の第１実施形態に係るプリンタ１０について、図１から図４を参照しながら説明する。まず、第１実施形態に係るプリンタ１０の全体構成について、図１を参照しながら説明する。図１は、本発明の第１実施形態に係るプリンタ１０の全体構造を模式的に示す断面図である。
【００１２】
図１に示すように、プリンタ１０は、原稿Ｇの画像を読み取り可能な画像読取装置１００と、画像読取装置１００で読み取られた画像をシートＳに形成可能なプリンタ本体１０ａと、を備えている。画像読取装置１００は、原稿Ｇの画像を読み取るリーダ部８と、リーダ部８に原稿Ｇを給送可能な原稿給送装置としての原稿給送部９と、を備えている。プリンタ本体１０ａは、シートＳに画像を形成する画像形成部２０と、画像形成部２０にシートＳを給送するシート給送部３０と、画像が形成されたシートＳを機外に排出する排出ローラ対４０と、排出されたシートＳを積載する排出トレイ５０と、を備えている。以下、プリンタ１０の画像形成動作に沿ってプリンタ１０の全体構成を説明する。
【００１３】
原稿給送部９から給送され、リーダ部８で読み取られた画像情報、或いは、不図示の外部ＰＣ等からプリンタ本体１０ａに画像情報が入力されると、入力された画像情報に基づいて、レーザスキャナユニット２１から感光体ドラム２２にレーザ光が照射される。このとき感光体ドラム２２は、予め帯電されており、レーザ光が照射されることによって静電潜像が形成される。その後、静電潜像を現像器２３で現像することで、感光体ドラム２２上にトナー像が形成される。なお、画像読取装置１００（リーダ部８及び原稿給送部９）については、後に詳しく説明する。
【００１４】
感光体ドラム２２へのトナー像の形成動作に並行して、シート給送部３０の給送カセット３１に収納されたシートＳが給送ローラ３２により給送される。給送ローラ３２により給送されたシートＳは、分離部３３により１枚ずつに分離される。１枚ずつに分離されたシートＳは、レジストレーションローラ１１で感光体ドラム２２上のトナー像と同期がとられ、転写部２４に送られる。転写部２４に送られたシートＳは、感光体ドラム２２上のトナー像が転写される。
【００１５】
トナー像が転写されたシートＳは、定着部２５で加熱及び加圧処理されてトナー像が定着される。トナー像が定着されたシートＳは、排出ローラ対４０により排出トレイ５０に排出され、シートＳが排出されることで画像形成処理が終了する。なお、シートＳの両面に画像を形成する場合には、シートＳの第１面に画像が定着された後、反転搬送路１２を介してレジストレーションローラ１１に再搬送して上述を繰り返す。
【００１６】
次に、上述の画像読取装置１００について、図２から図４を参照しながら説明する。図２は、第１実施形態に係る画像読取装置１００の全体構造を模式的に示す断面図である。図３は、第１実施形態に係る上部カバー９０の一部及び幅方向規制板９２ａを示す斜視図である。図４は、第１実施形態に係る原稿トレイ９２に原稿束Ｇ１（Ｇ２）を積載する状態を示す図である。
【００１７】
図２に示すように、画像読取装置１００は、リーダ部８と、原稿給送部９と、を備えている。リーダ部８は、原稿給送部９の下方側に位置するように配設されたプラテンガラス８０と、プラテンガラス８０と副走査方向に並んで配置される原稿台ガラス８２と、プラテンガラス８０及び原稿台ガラス８２を支持する筐体８ａと、を備えている。また、リーダ部８は、画像読取部としてのイメージセンサユニット８３を備えている。
【００１８】
筐体８ａは、プラテンガラス８０及び原稿台ガラス８２を支持すると共に、イメージセンサユニット８３等を内部に収容している。イメージセンサユニット８３は、原稿Ｇに光を照射するＬＥＤ８４と、ＬＥＤ８４に照射された光に対応する原稿Ｇからの反射光を誘導する複数のミラー８５ａ，８５ｂ，８５ｃと、を備えている。また、イメージセンサユニット８３は、複数のミラー８５ａ〜８５ｃによって誘導された反射光を集光する集光レンズ８６と、集光レンズ８６で集光された反射光を光電変換して画像信号として出力するＣＣＤ８７と、を備えている。ＬＥＤ８４及びミラー８５ａは、光学キャリッジ（走行体）８８に収容されており、光学キャリッジ８８は、不図示の駆動ベルトに接続されている。駆動ベルトは、駆動モータに連結されており、駆動モータにより駆動するように構成されている。また、光学キャリッジ８８の位置は、不図示のポジションセンサと駆動モータの回転パルス数とにより把握可能に構成させている。
【００１９】
原稿給送部９は、原稿台ガラス８２上に載置された原稿Ｇを押圧する原稿台カバー９１と、原稿Ｇを積載する原稿トレイ９２と、原稿トレイ９２に積載された原稿Ｇを給送する原稿給送ローラ９３と、を備えている。また、原稿給送部９は、原稿給送ローラ９３に給送される原稿Ｇを１枚ずつ分離する分離ローラ９４及び分離パッド９５と、原稿Ｇの先端を揃えて搬送するレジストレーションローラ対９６と、を備えている。更に、原稿給送部９は、所定の画像読取位置８１に原稿Ｇを案内する原稿案内部９７と、読み取りが終了した原稿Ｇを機外に排出する排出ローラ対９８と、を備えている。
【００２０】
原稿トレイ９２は、原稿Ｇの給送方向と直交する幅方向にスライド可能な幅方向規制板９２ａを備えている。幅方向規制板９２ａは、原稿トレイ９２に積載された原稿Ｇの幅方向位置を規制することで原稿給送時における原稿Ｇの給送安定性を確保する。原稿給送ローラ９３は、原稿トレイ９２の原稿給送方向下流（以下、単に「下流」という）の原稿給送位置の上方に設けられており、ユーザによる原稿Ｇのセット作業を阻害しないように、図２に示す実線位置をホームポジションとしている。原稿給送ローラ９３は、原稿Ｇの給送動作が開始されると、ホームポジションから給送位置（図２に示す破線位置）に移動し、原稿Ｇの上面に当接して原稿Ｇを給送する。
【００２１】
原稿給送ローラ９３の上方には、原稿給送ローラ９３を露出可能なカバー部材としての上部カバー９０が配設されている。上部カバー９０は、原稿給送部本体９ａに回動可能に支持されており、上部カバー９０を回動させることで原稿給送ローラ９３が露出される。これにより、ジャム処理等が可能になる。一方、上部カバー９０を閉じると、上部カバー９０と原稿トレイ９２とで原稿給送位置に原稿を移動させる際の入口部９０ｂが構成される。
【００２２】
上部カバー９０は、原稿トレイ９２上の原稿束を原稿給送位置に移動させる際に、原稿給送ローラ９３が給送可能な原稿の積載量を超えると、過積載分の原稿Ｇを上部カバー９０の上方に退避させる退避手段としての傾斜面９０ａを備えている。傾斜面９０ａは、上部カバー９０を閉じた際の原稿給送方向上流端９０ｃの原稿トレイ９２の積載面からの高さが、原稿給送位置で原稿給送ローラ９３が給送可能な原稿束Ｇ１の高さと一致している。つまり、入口部９０ｂの高さが原稿給送位置で原稿給送ローラ９３が給送可能な原稿束Ｇ１の高さと一致するようになっており、入口部９０ｂにより、挿入される原稿束の高さ（量）が規制される。
【００２３】
また、傾斜面９０ａは、図２及び図３に示すように、原稿給送方向上流端９０ｃから原稿給送方向下流に向かって上り傾斜しており、過積載分の原稿Ｇが上部カバー９０にぶつかることなく傾斜面９０ａに沿って移動するようになっている。なお、本実施形態においては、原稿給送方向上流端９０ｃは鋭角に形成されている。更に、傾斜面９０ａは、幅方向の長さが、原稿給送部９が給送可能な原稿の幅方向の長さよりも長い幅を有しており、原稿給送部９が給送可能な原稿に対応可能になっている。
【００２４】
レジストレーションローラ対９６は、分離ローラ９４の下流に設けられており、分離ローラ９４にて１枚ずつ分離して搬送される原稿Ｄの先端をニップ部に突き当て、原稿Ｇにループを生じさせることにより原稿Ｇの先端を揃える。原稿案内部９７は、プラテンガラス８０上の所定の画像読取位置８１に位置するように設けられており、先端が揃えられた原稿Ｇが画像読取位置８１上を移動するように案内する。原稿案内部９７は、リードローラ対９７ａと、第１プラテンローラ９７ｂと、白色板を有する不図示の読取ガイドと、第２プラテンローラ９７ｃと、リード排出ローラ対９７ｄと、を備えている。
【００２５】
排出ローラ対９８は、原稿案内部９７の下流に設けられており、原稿Ｄを機外に排出する。また、排出ローラ対９８は、原稿Ｄの両面を読み取る場合に、原稿Ｄをスイッチバックしてシートパス９９を介して再度レジストレーションローラ対９６に搬送する。
【００２６】
以上説明したように、第１実施形態に係るプリンタ１は、原稿トレイ９２上の原稿束Ｇ１を原稿給送位置に移動させる際に、過積載分の原稿束Ｇ２を上部カバー９０の上方に退避させる傾斜面９０ａを備えている。そのため、図４（ａ）に示すように、原稿給送ローラ９３が給送可能な原稿Ｇの積載量を超えた原稿束Ｇ１をユーザが原稿トレイ９２に積載させた場合でも、図４（ｂ）に示すように、過積載分の原稿束Ｇ２を上部カバー９０の上方に退避させることができる。これにより、原稿束Ｇ２の先端が上部カバー９０にぶつかって、原稿が座屈等のダメージを受けることを防止することができる。
【００２７】
＜第２実施形態＞
次に、本発明の第２実施形態に係るプリンタ１０Ａについて、図１を援用すると共に、図５から図７を参照しながら説明する。第２実施形態に係るプリンタ１Ａは、幅方向規制板に原稿トレイ上の原稿束の高さを規制する高さ規制部を設けた点で、第１実施形態と相違する。そのため、第２実施形態においては、第１実施形態と相違する点、即ち、幅方向規制板に設けられた高さ規制部を中心に説明し、第１実施形態と同様の構成については、同じ符号を付してその説明を省略する。
【００２８】
図５は、第２実施形態に係る画像読取装置１００Ａの全体構造を模式的に示す断面図である。図６は、第２実施形態に係る上部カバー９０の一部及び幅方向規制板９２Ａａを示す斜視図である。図７は、第２実施形態に係る原稿トレイ９２Ａに原稿束Ｇ１を積載する状態を示す図である。
【００２９】
図１に示すように、プリンタ１０Ａは、画像読取装置１００Ａと、プリンタ本体１０ａと、を備えている。画像読取装置１００Ａは、リーダ部８と、リーダ部８に原稿Ｇを給送可能な原稿給送装置としての原稿給送部９Ａと、を備えている。原稿給送部９Ａは、原稿台カバー９１と、原稿トレイ９２Ａと、原稿給送ローラ９３と、分離ローラ９４及び分離パッド９５と、レジストレーションローラ対９６と、原稿案内部９７と、排出ローラ対９８と、を備えている。
【００３０】
図５及び図６に示すように、原稿トレイ９２Ａは、原稿Ｇの幅方向にスライド可能な幅方向規制板９２Ａａを備えており、幅方向規制板９２Ａａは、原稿トレイ９２に積載された原稿束の高さを規制する高さ規制部９２ｂを備えている。高さ規制部９２ｂは、先端部の原稿トレイ９２Ａの積載面からの高さが、原稿給送位置で原稿給送ローラ９３が給送可能な原稿束Ｇ１の高さと一致するように形成されている。これにより、高さ規制部９２ｂにより入口部９０ｂから挿入される原稿束の高さ（量）が規制可能になっている。
【００３１】
また、高さ規制部９２ｂは、先端部が鋭角に形成されると共に、上部カバー９０の傾斜面９０ａと連続するように設けられており、過積載分の原稿束を座屈等させることなく傾斜面９０ａに案内可能になっている。
【００３２】
以上説明したように、第２実施形態に係るプリンタ１Ａは、原稿トレイ９２上の原稿束Ｇ１を原稿給送位置に移動させる際に、過積載分の原稿束Ｇ２を上部カバー９０の上方に退避させる高さ規制部９２ｂが幅方向規制板９２Ａａに設けられている。また、高さ規制部９２ｂは、傾斜面９０ａと滑らかに連続するように設けられている。そのため、図７（ａ）に示すように、原稿給送ローラ９３が給送可能な原稿Ｇの積載量を超えた原稿束Ｇ１をユーザが原稿トレイ９２Ａに積載させた場合でも、図７（ｂ）に示すように、過積載分の原稿束Ｇ２を上部カバー９０の上方に退避させることができる。これにより、原稿束Ｇ２の先端が上部カバー９０にぶつかって、原稿が座屈等のダメージを受けることを防止することができる。
【００３３】
以上、本発明の実施形態について説明したが、本発明は上述した実施形態に限定されるものではない。また、本発明の実施形態に記載された効果は、本発明から生じる最も好適な効果を列挙したに過ぎず、本発明による効果は、本発明の実施形態に記載されたものに限定されない。
【００３４】
例えば、本実施形態においては、上部カバー９０に形成した傾斜面９０ａを用いて退避手段を構成したが、本発明においてはこれに限定されない。例えば、過積載分の原稿を上部カバー９０の上面に案内しつつ退避可能な形状若しくは部材を設ける構成であってもよい。
【符号の説明】
【００３５】
９    原稿給送部（原稿給送装置）
１０、１０Ａ    レーザビームプリンタ（画像形成装置）
２０    画像形成部
８３    イメージセンサユニット（画像読取部）
９０    上部カバー（カバー部材）
９０ａ    傾斜面（退避手段）
９０ｂ    入口部
９０ｃ    原稿給送方向上流端
９２    原稿トレイ
９２ａ    幅方向規制板
９３    原稿給送ローラ
１００    画像読取装置
Ｇ    原稿
Ｇ１    原稿束
Ｇ２    原稿束
Ｓ    シート
【図１】
2014136613.tif 000003
【図２】
2014136613.tif 000004
【図３】
2014136613.tif 000005
【図４】
2014136613.tif 000006
【図５】
2014136613.tif 000007
【図６】
2014136613.tif 000008
【図７】
2014136613.tif 000009
【図８】
2014136613.tif 000010